(57)【要約】【課題】電線最外層の素線の間に落ち込み、付属品の取付け把持力を低下させることのないアーマーロッドを提供する。【解決手段】アーマーロッド２０を構成するアーマーロッドの各素線２５の断面は、電線１０を構成する最外層素線１５の外接円５０に接する底部２６を有し、外接円に接する底部の幅Ｓａは、最外層素線が互いに隣接して外接円に接する頂点間で形成される弧長Ｓに等しいか、又は弧長Ｓ以上の長さを有する。【選択図】      図１
2013046499.tif 000002
【特許請求の範囲】
【請求項１】
電線に巻き付けられて前記電線に取付けられる付属品から前記電線を保護するアーマーロッドにおいて、
前記アーマーロッドを構成するアーマーロッドの各素線の断面は、前記電線を構成する最外層素線の外接円に接する底部を有し、
前記外接円に接する底部の幅は、前記最外層素線が互いに隣接して前記外接円に接する頂点間で形成される弧長に等しいか、又は前記弧長以上の長さを有することを特徴とするアーマーロッド。
【請求項２】
前記アーマーロッドを構成するアーマーロッドの各素線の断面の両側部及び上部は、互いに矩形を形成することを特徴とする請求項１に記載のアーマーロッド。
【請求項３】
前記アーマーロッドを構成するアーマーロッドの各素線の断面の両側部及び上部は、互いに円形を形成することを特徴とする請求項１に記載のアーマーロッド。
【発明の詳細な説明】
【技術分野】
【０００１】
本発明は、架空送電線及び地線（以下電線という）に使用されるアーマーロッドに係り、より詳しくは、電線最外層の素線の間に落ち込み、付属品の取付け把持力を低下させることのないアーマーロッドに関する。
【背景技術】
【０００２】
電線に付属品を取付ける場合は、電線保護を目的としたアーマーロッドが電線に巻き付けられ、その巻き付けられたアーマーロッドに付属品（図示せず）が取付けられる。図４は、従来における電線にアーマーロッドを巻き付けたときの断面を示す断面構造図である。図４において、電線１０は、芯線に複数のアルミニウム素線が多層に撚り線状に巻かれて、アルミニウム撚線を構成している。電線１０の最外層素線１５上には、アルミニウム素線と同様の断面円形のアーマーロッドの素線４５が巻き付けられて、アーマーロッド４０が形成されている。
【０００３】
図４ａは、電線部１０の最外層素線１５の撚り込み本数と、アーマーロッド４０を構成するアーマーロッドの素線４５の本数とが等しく、且つ、アーマーロッドの素線４５は、最外層素線１５の撚り込みピッチに等しく、最外層素線１５と該最外層素線１５の外接円５０との接点上に巻き付けられている。
【０００４】
この時、アーマーロッド巻き付け後の最外層外接円直径Ｄは、電線の公称外径Ｄｃとアーマーロッドの素線径ｄａ×２との和に等しい。通常アーマーロッドに取付けられる付属品はＤ＝Ｄｃ＋２×ｄａを想定して把持するよう設計されているため、図４ａの場合は、所定の把持力を維持して、付属品を取付けることができる。
【０００５】
ところが、図４ｂに示すように、アーマーロッドの素線４５が電線１０の最外層素線１５の間に落ち込む場合がある。この場合は、Ｄ＜Ｄｃ＋２×ｄａとなり、所定の把持力を維持して、付属品を取付けることができなくなる。
【０００６】
特許文献１には、アーマーロッド１０の外周に凸部１１と凹部１２を設け、それを電線２０に巻き付けた際、隣接するアーマーロッド１０同士の凸部１１と凹部１２が嵌合するように構成する旨の記載がある。
【先行技術文献】
【特許文献】
【０００７】
【特許文献１】特開２０００−３７０２２号公報
【発明の概要】
【発明が解決しようとする課題】
【０００８】
本発明は、このような問題を解決するためになされたものであり、その目的は、電線最外層の素線の間に落ち込み、付属品の取付け把持力を低下させることのないアーマーロッドを提供する。
【課題を解決するための手段】
【０００９】
本発明のアーマーロッドは、電線に巻き付けられて電線に取付けられる付属品から電線を保護するアーマーロッドにおいて、アーマーロッドを構成するアーマーロッドの各素線の断面は、電線を構成する最外層素線の外接円に接する底部を有し、外接円に接する底部の幅は、最外層素線が互いに隣接して外接円に接する頂点間で形成される弧長に等しいか、又は弧長以上の長さを有することを特徴とする。
【００１０】
本発明のアーマーロッドは、アーマーロッドを構成するアーマーロッドの各素線の断面の両側部及び上部は、互いに矩形を形成することを特徴とする。
【００１１】
本発明のアーマーロッドは、アーマーロッドを構成するアーマーロッドの各素線の断面の両側部及び上部は、互いに円形を形成することを特徴とする。
【発明の効果】
【００１２】
本発明によれば、電線最外層の素線の間に落ち込み、付属品の取付け把持力を低下させることのない構造を有するアーマーロッドを提供することが可能となる。
【図面の簡単な説明】
【００１３】
【図１】本発明の第１実施例のアーマーロッドを電線に巻き付けたときの断面構造図。
【図２】本発明の第２実施例のアーマーロッドを電線に巻き付けたときの断面構造図。
【図３】本発明のアーマーロッドを電線に巻き付けるための工法図。
【図４】従来における電線にアーマーロッドを巻き付けたときの断面構造図。
【発明を実施するための形態】
【実施例】
【００１４】
本発明の実施の形態について、図を用いて説明する。図１は、本発明による第１実施例のアーマーロッドを電線に巻き付けたときの断面構造図である。図１において、電線１０は、図４において説明したものと同じものであるため、説明を省略する。電線１０の最外層素線１５上には、アーマーロッド２０が巻き付けられている。アーマーロッド２０を構成するアーマーロッドの素線２５の各断面は、電線１０を構成する最外層素線１５の外接円５０に接する底部２６を有している。外接円５０に接する底部２６の幅Ｓａは、最外層素線１５が互いに隣接して外接円５０に接する頂点間で形成される弧長Ｓに等しい。また、アーマーロッド２０を構成するアーマーロッドの各素線２５の断面の両側部２７及び上部２８は、互いに矩形を形成している。
【００１５】
そして、アーマーロッドの素線２５の各々は、最外層素線１５の外接円５０に接する頂点で互いに隣接するよう巻き込まれているため、従来発生していたアーマーロッドの素線４５が電線１０の最外層素線１５の間に落ち込むといったトラブルを解消することができるため、付属品の取付け把持力を低下させるという不具合が発生することはない。また、ｄａを従来の断面円形のアーマーロッドの素線４５のｄａに合わせることにより、従来設計された付属品のＤ＝Ｄｃ＋２×ｄａを維持することができるため、従来の付属品をそのまま用いることが可能となる。
【００１６】
図２は、本発明の第２実施例のアーマーロッドを電線に巻き付けたときの断面構造図を示す。図２において、電線１０は、図４において説明したものと同じものであるため、説明を省略する。電線１０の最外層素線１５上には、アーマーロッド３０が巻き付けられている。アーマーロッド３０を構成するアーマーロッドの素線３５の各断面は、電線１０を構成する最外層素線１５の外接円５０に接する底部３６を有している。外接円５０に接する底部２６の幅Ｓａは、最外層素線１５が互いに隣接して外接円５０に接する頂点間で形成される弧長Ｓ以上の長さを有している。また、アーマーロッド３０を構成するアーマーロッドの各素線３５の断面の両側部３７及び上部３８は、互いに円形を形成している。
【００１７】
そして、アーマーロッドの素線３５の各々は、最外層素線１５の外接円５０に接する頂点に必ず１箇所は接するよう巻き込まれているため、従来発生していたアーマーロッドの素線４５が電線１０の最外層素線１５の間に落ち込むといったトラブルを解消することができるため、付属品の取付け把持力を低下させるという不具合が発生することはない。
また、アーマーロッドの各素線３５の断面の両側部３７及び上部３８は、互いに円形を形成しているため、コロナの発生を防止することができる。さらに、ｄａを従来の断面円形のアーマーロッドの素線４５のｄａに合わせることにより、従来設計された付属品のＤ＝Ｄｃ＋２×ｄａを維持することができるため、従来の付属品をそのまま用いることが可能となる。
【００１８】
図３は、本発明のアーマーロッドを電線に巻き付けるための工法図である。図３において、電線部１０の最外層素線１５上に、図１に示されるアーマーロッド２０、または図２に示されるアーマーロッド３０が、巻き付けられている。この巻き付けにおいては、特別な配慮なく、従来のアーマーロッド４０と同様に巻き付けることができる。図３においては、電線部１０とアーマーロッド２０、３０との関係を示すため、電線部１０が可視状態となっているが、実際の施工においては、図１、２に示されるように所定のピッチで密巻きされる。
【００１９】
以上説明したように本発明によれば、電線最外層の素線の間に落ち込み、付属品の取付け把持力を低下させることのないアーマーロッドを提供することができる。
【符号の説明】
【００２０】
１０  電線
１５  最外層素線
２０  アーマーロッド
２５  アーマーロッドの素線
２６  底部
２７  側部
２８  上部
３０  アーマーロッド
３５  アーマーロッドの素線
３６  底部
３７  側部
３８  上部
４０  アーマーロッド
４５  アーマーロッドの素線
５０  最外層素線の外接円
Ｄ  アーマーロッド巻き付け後の最外層外接円直径
Ｄｃ  電線の公称外径
ｄａ  アーマーロッドの素線径（断面円形の場合は円の直径、断面非円形の場合は、電線最外層素線外接円に直交する線（法線）が、アーマーロッド断面を２点で切る長さの最大値）
Ｓａ  アーマーロッドの素線の底部が外接円に外接する幅
Ｓ  電線最外層素線の隣り合う素線の頂点間を結ぶ外接円の弧長
【図１】
2013046499.tif 000003
【図２】
2013046499.tif 000004
【図３】
2013046499.tif 000005
【図４】
2013046499.tif 000006